(57)【要約】【課題】ＡＬＣ板を用いた植栽基盤と屋上コンクリートスラブとの間に排水用のすき間を確保して、複数の植栽基盤を屋上コンクリートスラブ上に同時に且つ確実に固定することができ、高層の強風荷重に対する耐風性を向上させた屋上緑化用植栽基盤の固定構造を提供する。【解決手段】ＡＬＣ板の上面に植物の育成が可能な培養材料を積層してなる植栽基盤を、屋上コンクリートスラブ上に複数並列させると共に、植栽基盤の各隅部に、ベースプレートと、このベースプレートの中心から立設した垂直ボルトと、この垂直ボルトに中心部が螺合された下部挟持プレートと、垂直ボルトの上端に螺合するナット部を中心に備えた上部挟持プレートとからなる固定具を配置し、前記上下挟持プレート  の間に植栽基盤を挟持する。【選択図】    図１
2004218347.tif 000002
【特許請求の範囲】
【請求項１】
軽量気泡コンクリート板の上面に植物の育成が可能な培養材料を積層してなる屋上緑化用植栽基盤を、屋上コンクリートスラブ上に複数並列させると共に、前記屋上緑化用植栽基盤の各隅部に、ベースプレートと、このベースプレートの中心から立設した垂直ボルトと、この垂直ボルトに中心部が螺合された下部挟持プレートと、前記垂直ボルトの上端に螺合するナット部を中心に備えた上部挟持プレートとからなる固定具を配置し、前記固定具のベースプレートを前記屋上コンクリートスラブに固着せしめ、かつ前記下部挟持プレートと上部挟持プレートとの間に前記屋上緑化用植栽基盤を挟持し、前記垂直ボルトに対して前記上下挟持プレートを回動させることにより、前記屋上緑化用植栽基盤の各隅部を上下から締付け固定してなることを特徴とする屋上緑化用植栽基盤の固定構造。
【請求項２】
前記ベースプレートおよび上下各挟持プレートのうち、少なくとも上下挟持プレートが円板状であることを特徴とする請求項１に記載の屋上緑化用植栽基盤の固定構造。
【請求項３】
前記上部挟持プレートが備えるナット部が、このプレートの中心に穿設されたナット穴であることを特徴とする請求項１または２に記載の屋上緑化用植栽基盤の固定構造。
【請求項４】
前記上部挟持プレートが備えるナット部が、このプレートの中心から下方に突設した筒状ナットであることを特徴とする請求項１または２に記載の屋上緑化用植栽基盤の固定構造。
【請求項５】
前記上下挟持プレートのうちいずれか一方に、この挟持プレートを前記垂直ボルトに対して回動操作する操作治具に対応する係合部が形成されていることを特徴とする請求項１〜４のいずれか１項に記載の屋上緑化用植栽基盤の固定構造。
【請求項６】
前記ベースプレートが、接着剤による接合、金属くぎの打込みまたはボルト／ナット結合のいずれかにより屋上コンクリートスラブ上に固着されていることを特徴とする請求項１〜５のいずれか１項に記載の屋上緑化用植栽基盤の固定構造。
【請求項７】
前記ベースプレートと下部挟持プレートとの間に隙間を保持するように寸法規制されていることを特徴とする請求項１〜６のいずれか１項に記載の屋上緑化用植栽基盤の固定構造。
【発明の詳細な説明】
【０００１】
【発明の属する技術分野】
本発明は、建造物の屋上などの緑化に使用する屋上緑化用植栽基盤の固定構造に関するものであり、さらに詳しくは、軽量気泡コンクリート板を用いた屋上緑化用植栽基盤と屋上コンクリートスラブとの間に排水用のすき間を確保して、複数の屋上緑化用植栽基盤を屋上コンクリートスラブ上に同時に且つ確実に固定することができ、高層の強風荷重に対する耐風性を向上させた屋上緑化用植栽基盤の固定構造に関するものである。
【０００２】
【従来の技術】
近年では、都市部の美観や緑化促進の要求から、建造物の屋上やその他の空間、例えばベランダなどに植物を植栽する試みが頻繁になされるようになっている。このような試みの多くにおいては、建造物の屋上コンクリートスラブに載置したコンクリート槽内に土壌を充填し、この土壌に播種、播苗、插し木などを行なうことにより植物を植栽していたが、このような方法では、コンクリート槽および土壌にかなりの重量を必要として、建造物に悪影響を及ぼすばかりか、防水や排水のために多くの考慮を払わなければならないという問題があった。
【０００３】
そこで、最近では、植栽基盤として軽量なポーラス（多孔質）コンクリートを使用したもの（例えば、特許文献１参照）、およびポーラスコンクリート上に土壌を含む植栽層を積層したもの（例えば、特許文献２および３参照）などが開発され、植栽基盤の軽量化や排水性の改良が図られている。
【０００４】
しかしながら、ポーラスコンクリートは、排水性に優れる反面保水性が悪いこと、アルカリ度が高いため植物の成育に悪影響を与えること、および通常のコンクリートに比べて軽量とはいえかなり重いため取扱性、施工性が悪いことなどの欠点を有していることから、屋上緑化用植栽基盤としての性能を十分に満たすものではなかった。
【０００５】
これに対し、本出願人は、ポーラスコンクリートに比べてさらに軽量で、低アルカリ度であると共に、保水性と排水性のバランスに優れた植栽基盤として、軽量気泡コンクリート板（以下、ＡＬＣ板と呼ぶ）の上面に土壌を含む植栽層を積層した屋上緑化用植栽基盤（例えば、特許文献４参照）を先に提案している。
【０００６】
ところで、上述した従来の屋上緑化用植栽基盤を建造物の屋上コンクリートスラブに配置するに際しては、一般に植栽基盤またはこの植栽基盤を収納した枠体を屋上コンクリートスラブ上に単に載置する自重固定方法、あるいは両者の間に接着剤を介して固着する接着固定方法がとられていた。しかし、特に高層の建造物の屋上は常に強風に晒され、ひどい場合には吹き上げによる負の風荷重が植栽基盤にかかることになる。そのため、植栽層が吹き飛ばされたり、植栽基盤に位置ずれを生じるなどの問題をしばしば生じており、特にそれ自体が軽量で自重の小さいＡＬＣ板を用いた植栽基盤の場合には、強風による問題が一層顕在化していた。
【０００７】
【特許文献１】
特開平４−３７００３８号公報
【特許文献２】
特開平１１−２１８９７号公報
【特許文献３】
特開平１１−４３９４４号公報
【特許文献４】
特願２００２−００５２４２号明細書
【０００８】
【発明が解決しようとする課題】
本発明は、上述した従来技術における問題点の解決を課題として検討した結果達成されたものである。
【０００９】
したがって、本発明の目的は、ＡＬＣ板を用いた屋上緑化用植栽基盤と屋上コンクリートスラブとの間に排水用のすき間を確保して、複数の屋上緑化用植栽基盤を屋上コンクリートスラブ上に同時に且つ確実に固定することができ、高層の強風荷重に対する耐風性を向上させた屋上緑化用植栽基盤の固定構造を提供することにある。
【００１０】
【課題を解決するための手段】
上記の課題を解決するために、本発明の屋上緑化用植栽基盤の固定構造は、ＡＬＣ板の上面に植物の育成が可能な培養材料を積層してなる屋上緑化用植栽基盤を、屋上コンクリートスラブ上に複数並列させると共に、前記屋上緑化用植栽基盤の各隅部に、ベースプレートと、このベースプレートの中心から立設した垂直ボルトと、この垂直ボルトに中心部が螺合された下部挟持プレートと、前記垂直ボルトの上端に螺合するナット部を中心に備えた上部挟持プレートとからなる固定具を配置し、前記固定具のベースプレートを前記屋上コンクリートスラブに固着せしめ、かつ前記下部挟持プレートと上部挟持プレートとの間に前記屋上緑化用植栽基盤を挟持し、前記垂直ボルトに対して前記上下挟持プレートを回動させることにより、前記屋上緑化用植栽基盤の各隅部を上下から締付け固定してなることを特徴とする。
【００１１】
本発明の屋上緑化用植栽基盤の固定構造においては、
（１）前記ベースプレートおよび上下各挟持プレートのうち、少なくとも上下挟持プレートが円板状であること、
（２）前記上部挟持プレートが備えるナット部が、このプレートの中心に穿設されたナット穴であること、
（３）前記上部挟持プレートが備えるナット部が、このプレートの中心から下方に突設した筒状ナットであること、
（４）前記上下挟持プレートのうちいずれか一方に、この挟持プレートを前記垂直ボルトに対して回動操作する操作治具に対応する係合部が形成されていること、
（５）前記ベースプレートが、接着剤による接合、金属くぎの打込みまたはボルト／ナット結合のいずれかにより屋上コンクリートスラブ上に固着されていること、および
（６）前記ベースプレートと下部挟持プレートとの間に隙間を保持するように寸法規制されていること
が、いずれも好ましい条件であり、これらの条件を満たすことによって、さらに優れた効果の発現を期待することができる。
【００１２】
【発明の実施の形態】
以下に、本発明の屋上緑化用植栽基盤の固定構造について、図面にしたがって詳述する。
【００１３】
図１は本発明の屋上緑化用植栽基盤の固定構造の概要説明図、図２は本発明で使用する固定具の第１実施例を示す斜視説明図、図３は図２に示した固定具を使用した固定構造を示す一部断面説明図、図４は本発明で使用する固定具の第２実施例を示す斜視説明図、図５は図４に示した固定具を使用した固定構造を示す一部断面説明図である。
【００１４】
図１乃至図５に示したように、本発明の屋上緑化用植栽基盤の固定構造は、屋上コンクリートスラブ３０上に固着されたベースプレート２１と、このベースプレート２１の中心から立設した垂直ボルト２２と、この垂直ボルト２２に中心部のナット部２５ｃが螺合された下部挟持プレート２３と、前記垂直ボルト２２の上端に螺合するナット部２５ａ，２５ｂを中心に備えた上部挟持プレート２４とからなる固定具が配置されている。そして、前記上部挟持プレート２４と下部挟持プレート２３との間には、ＡＬＣ板１１と土壌１２と植生シート１３とからなる屋上緑化用植栽基盤１０が配置されている。また、屋上コンクリートスラブ３０と、前記植栽基盤１０との間に隙間４０が設けられている。これら屋上緑化用植栽基盤１０の各隅部に、複数の固定具２０を配置することにより基本的に構成されている。
【００１５】
本発明の屋上緑化用植栽基盤１０の固定構造は、前記ベースプレート２１の中心から立設した垂直ボルト２２に上部挟持プレート２４と下部挟持プレート２３とが螺合されており、また前記ベースプレート２１は屋上コンクリートスラブ３０に固着されている。そして、上部挟持プレート２４と下部挟持プレート２３との間に、前記屋上緑化用植栽基盤１０を挟持している構造となっている。そのために、屋上への風の吹き上げによる負の風荷重に晒されても前記屋上緑化用植栽基盤１０が吹き飛ばされたり、位置ずれを生じることがない。
【００１６】
また、上記構造により下部挟持プレート２３と屋上コンクリートスラブ３０との間に隙間４０を設けられている。このことで、屋上緑化用植栽基盤１０に吸水された余分な水分や雨天時の雨水などの排水機構としての機能を果たすため、スペーサーや他の排水機構をさらに設ける必要がなく、経済的であるばかりか、植生植物の水分過多による根腐れなどの被害を未然に防止することができる。
【００１７】
また、本発明の屋上緑化用植栽基盤１０の固定構造によれば、屋上コンクリートスラブ３０上に不陸があったり、各屋上緑化用植栽基盤１０の高さにバラツキがあったりした場合にも、上下挟持プレート２３，２４の回動操作により高さ調整を行うことができる。このことで、各屋上緑化用植栽基盤１０の水準高さを平均化することができる。さらに、上下挟持プレート２３，２４の回動操作のみで固定構造を完成することができるため、非常に簡便且つ効率的に作業を遂行できる。
【００１８】
前記各挟持プレート２３，２４およびベースプレート２１は、その製造の容易さから厚さ２ｍｍ〜６ｍｍ程度が好ましい。また、外形直径は、４０ｍｍ〜１５０ｍｍ程度が好ましい。前記直径が４０ｍｍ未満であると、各隅部における挟持力が小さくなり、負の風荷重に耐えがたいものとなる。また、１５０ｍｍを越えても挟持力に余り差がなく、経済的効果が薄れる。
【００１９】
前記ベースプレート２１に立設した垂直ボルト２２の外形直径は、５ｍｍ〜１５ｍｍ程度が好ましく、またその高さは５０ｍｍ〜１２０ｍｍ程度が好ましい。このことにより、前記屋上緑化用植栽基盤１０は負の風荷重に対しても充分耐えることが可能となる。
【００２０】
図１に示すように、前記固定具２０はベースプレート２１および上下各挟持プレート２３，２４が、いずれも円板状であると、前記垂直ボルト２２に螺設し屋上緑化用植栽基盤１０の隅部を挟持したとき、いずれの隅部においても均等な面積で上下方向から挟持できるため好ましい。また、角部がないため、他の部材を傷つけることもなく、さらに上方より容易に回動操作できるため、施工が非常に容易となり好ましい。
【００２１】
また、図２に示す固定具２０において、各挟持プレート２３，２４のナット部がナット穴２５ａ，２５ｃであるため、回動操作を行うことにより容易に、前記垂直ボルト２２の任意の所望する高さ位置に螺着できるため好ましい。また、図４に示す固定具２０において、上部挟持プレート２４には、前記ナット穴２５ａがなく、該上記挟持プレート２４の中心から下方に突設した筒状ナット２５ｂを備えたものである。
【００２２】
前記上部挟持プレート２４のナット部が筒状ナット２５ｂであると、上部挟持プレート２４を垂直ボルト２２に螺合した際に、垂直ボルト２２の上端が上部挟持プレート２４の上面より突設することがなくなる。このため、上部挟持プレート２４の上面と前記植生シート１３の上面とが同一面上に仕上がるため、美観を損なうこともなく、さらに垂直ボルト２２の錆の発生防止にも寄与できるため好ましい。
【００２３】
また、固定具２０の上下挟持プレート２３，２４のうち、少なくとも上部挟持プレート２４には、この挟持プレートを垂直ボルト２２に対して回動操作する操作治具（図示せず）に対応する係合部２６が形成されていると、容易に回動操作ができる。
【００２４】
すなわち、上下挟持プレート２３，２４は、いずれも垂直ボルト２２に対して回動操作することにより、屋上緑化用植栽基盤１０の各隅部を上下から締付け固定するために機能するものである。そして、各挟持プレート２３，２４、特に上部挟持プレート２４は、その上部からハンドル型の操作治具を使用して回動させるのが操作上簡便であるが、その操作治具の例えば歯部に対応する係合部２６を設けておくことにより、この上部挟持プレート２４の回動操作の作業性を効率化することが可能となる。
【００２５】
さらに、ベースプレート２１のコンクリートスラブ３０への固着は、接着剤による接合や金属くぎの打ち込みまたはボルト／ナット結合などを用いると、前述した負の風荷重に対し充分耐えうる付着強度を有するため好ましい。
【００２６】
かくして完成した固定構造は、図３および図５に示したように、各固定具２０の下部挟持プレート２３と上部挟持プレート２４との間に屋上緑化用植栽基盤１０を挟持してこれを締付固定すると共に、屋上緑化用植栽基盤１０と屋上コンクリートスラブ３０との間に隙間４０を保持した状態となる。
【００２７】
そして、前記ベースプレート２１と屋上緑化用植栽基盤１０との隙間が、その高さが１０〜５０ｍｍとなるように寸法規制されていると、上述したように、余分な水分の排水機能を果たすため、水分過多になることを防止できるため、非常に好ましいものとなる。
【００２８】
また、前記固定具２０の各部は、負の風荷重に対する耐力や防錆性などの点で、鉄、ステンレス、アルミニウム、強化アルミ合金などの金属製、および強化プラスチックなどにより構成することが好ましい。
【００２９】
また、ＡＬＣ板１１は、コンクリートやポーラスコンクリートに比べてその硬度は小さく加工性に優れている。このため、図５に示すように前記上部挟持プレート２４を垂直ボルト２２へ螺合し、ＡＬＣ板１１が破壊しない程度に圧接し挟持する際に、筒状ナット２５ｂに当接する箇所を容易に切削・加工ができるため好ましい。
【００３０】
以上の構成からなる屋上緑化用植栽基盤１０を屋上コンクリートスラブ３０上に固定する本発明の施工方法について実施例に基づいて説明する。
【００３１】
【実施例１】
本発明の固定構造を構築するに際しては、まず図１に示したように、ＡＬＣ板１１の上面に縦横に凹溝を配置し、その上部に土壌１２を積層配置し、さらに該土壌１２の上部に植生シート１３を積層した屋上緑化用植栽基盤１０を準備した。
【００３２】
図１に示すように、前記ＡＬＣ板１１はその内部に補強鉄筋５０を内在した、縦６００ｍｍ×横６００ｍｍの正方形のものであり、その厚さは、５０ｍｍである。そして、まず複数の屋上緑化用植栽基盤１０を、屋上コンクリートスラブ３０上に並列させた。
【００３３】
次に、これら屋上緑化用植栽基盤１０の各隅部に配置する、図２に示すような円盤状のベースプレート２１（厚さが５ｍｍで、外形の直径が１００ｍｍ）を準備した。このベースプレート２１には、外形直径が６ｍｍ、高さが１００ｍｍの垂直ボルト２２を立設してある。次に、この垂直ボルト２２に、厚さが５ｍｍで、外形の直径が１００ｍｍの下部挟持プレート２３を螺設させた。前記屋上緑化用植栽基盤１０は、好ましくは植生シート１３を各隅部間に折り込んでおく。
【００３４】
そして、屋上緑化用植栽基盤１０の各隅部に対応するようにＡＬＣ板１１の位置決めをしてから、前記ベースプレート２１を屋上コンクリートスラブ３０上に接着剤を用いて固着した。
【００３５】
次に、各下部挟持プレート２３の高さが５０ｍｍになるよう回動し、設定する。そして、該下部挟持プレート２３上に前記屋上緑化用植栽基盤１０の各隅部を載置する。次いで、厚さが５ｍｍで、外形の直径が８０ｍｍの円盤状上部挟持プレート２４を前記垂直ボルト２２に螺設し、前記各屋上緑化用植栽基盤１０を挟持する。この時、前記各屋上緑化用植栽基盤１０の上面が前記屋上コンクリートスラブ３０と平行になるよう、各上下挟持プレート２３，２４を回動し、調整する。これらの作業を行うことにより、本発明の屋上緑化用植栽基盤の固定構造が完成する。
【００３６】
上述した上下挟持プレート２３，２４の回動に際し、係合部２６に操作治具を係合させて、前記上下挟持プレート２３，２４を回動すると、より施工性の効率が向上する。
【００３７】
かくして完成した固定構造は、図３に示したように、前記下部挟持プレート２３と上部挟持プレート２４との間に屋上緑化用植栽基盤１０を挟持して、これを締付固定すると共に、屋上緑化用植栽基盤１０と屋上コンクリートスラブ３０との間に隙間４０を保持した状態となる。
【００３８】
【実施例２】
次に、図４に示す固定具２０を用いた屋上緑化用植栽基盤を固定した実施例について説明する。
【００３９】
前記実施例１で用いたのと同様の屋上緑化用植栽基盤１０を準備した。そして、前記実施例１と同様に屋上コンクリートスラブ３０上に屋上緑化用植栽基盤１０を並列させた。
【００４０】
次に、屋上緑化用植栽基盤１０の各隅部に対応するように、ＡＬＣ板１１の位置決めを行い、固定具２０として、図４に示すように厚さが５ｍｍ、外形の直径が１００ｍｍで、さらにビスねじ２７用の孔６０を有したベースプレート２１（垂直ボルト２２は、実施例１と同寸法のものを使用。）を準備した。そして、ビスねじ２７を螺入し、屋上コンクリートスラブ３０に固着した。尚、固着に際しては、前記ビスねじ２７のほか、釘やセルフタップねじやボルト／ナットなどを用いてもよい。
【００４１】
そして、下部挟持プレート２３を垂直ボルト２３に螺入し、その高さが５０ｍｍとなるよう回動し、調整した。次いで、前記下部挟持プレート２３上に前記各屋上緑化用植栽基盤１０の隅部を載置した。
【００４２】
次に、垂直ボルト２２に図４に示す上部挟持プレート２４を螺入していく。前記上部挟持プレート２４は、円盤状で厚さが５ｍｍで、外形の直径が８０ｍｍで、この中心から下方に突設した筒状（長さが３０ｍｍで、その内部は垂直ボルト２２が螺入できるよう螺刻されている。）ナット２５ｂを備えたものである。
【００４３】
この時に、図５に示すように、前記上部挟持プレート２４を回動し、螺入していくと、筒状ナット２５ｂがＡＬＣ板１１に当接する場合がある。この時は、ＡＬＣ板１１の当接箇所を筒状ナット２５ｂの形状に合わせ切削する。そして、上部挟持プレート２４と下部挟持プレート２３とで、前記屋上緑化用植栽基盤１０を挟持し、固定構造を完成させた。尚、上部挟持プレート２４を回動するに当たり、前記実施例１と同様に操作治具を係合部２６に係合させて、上部挟持プレート２４を回動させると、容易に施工ができ、作業効率が上がる。
【００４４】
以上のように、屋上コンクリートスラブ３０上に固定された屋上緑化用植栽基盤１０に対しては、様々な植物を植栽することが可能であり、例えばツルマンネングサ、メキシコマンネングサ、メノマンネングサ、オノマンネングサ、マルバマンネングサなどの一般に根茎がそれほど発達しないベンケイソウ科セダム属の植物以外にも、スベリヒユ科およびツル科などの多肉植物、他の観葉植物、開花植物などを植栽することによって、都市部の美観や緑化促進に大きく貢献することができる
【００４５】
【発明の効果】
以上説明したとおり、本発明の屋上緑化用植栽基盤の固定構造によれば、ＡＬＣ板を用いた屋上緑化用植栽基盤と屋上コンクリートスラブとの間に排水用のすき間を確保して、複数の屋上緑化用植栽基盤を屋上コンクリートスラブ上に同時に且つ確実に固定することができ、高層の強風荷重に対する耐風性を向上させて、安全性と美観を恒久的に確保することが可能である。
【図面の簡単な説明】
【図１】図１は本発明の屋上緑化用植栽基盤の固定構造の概要説明図である。
【図２】図２は本発明で使用する固定具の第１実施例を示す斜視説明図である。
【図３】図３は図２に示した固定具を使用した固定構造を示す一部断面説明図である。
【図４】図４は本発明で使用する固定具の第２実施例を示す斜視説明図である。
【図５】図５は図４に示した固定具を使用した固定構造を示す一部断面説明図である。
【符号の説明】
１０        屋上緑化用植栽基盤
１１        ＡＬＣ板
１１ａ    凹溝
１２        土壌
１３        植生シート
２０        固定具
２１        ベースプレート
２２        垂直ボルト
２３        下部挟持プレート
２４        上部挟持プレート
２５ａ    ナット穴（ナット部）
２５ｂ    筒状ナット（ナット部）
２５ｃ  ナット穴（ナット部）
２６        係合部
２７    ビスねじ
３０        屋上コンクリートスラブ
４０        隙間
５０    補強鉄筋
６０    孔
【図１】
2004218347.tif 000003
【図２】
2004218347.tif 000004
【図３】
2004218347.tif 000005
【図４】
2004218347.tif 000006
【図５】
2004218347.tif 000007